(57)【要約】【課題】画像読取装置で読み取られた画像データをリアルタイムで画像表示装置に表示させる【解決手段】ネットワークシステム１は、スキャナとしての機能を有する複合機２と、画像を表示するテレビ３とが、ＬＡＮ５を介してデータ通信可能に接続されて構成される。テレビ３側において、リモコン７を介して、複合機２のスキャナ部１５に読み取らせたデータをテレビ３に転送させるための操作が行われると、制御部２１は、転送指令を複合機２へ送信する。そして複合機２側において、この転送指令を受信すると、制御部１１は、スキャナ部１５にスキャナ動作を開始させて画像を読み込ませ、スキャナ部１５が生成したデータをＪＰＥＧ形式に変換し、変換したデータをテレビモニタ６へ直接、ＬＡＮ５を介して送信する。その後テレビ３側において、このデータを受信すると、制御部２１は、受信したデータに基づいた静止画像を表示部２３に表示させる。【選択図】図１
2007097052.tif 000002
【特許請求の範囲】
【請求項１】
画像を読み取る画像読取装置と、画像を表示する画像表示装置と、前記画像読取装置及び前記画像表示装置からアクセス可能で、かつ、画像を表すデータである画像データを含むデータを記憶する記憶装置と、がネットワークで接続されて構成されるネットワークシステムであって、
前記画像読取装置は、
画像が形成された印刷媒体から、画像を読み取り、読み取った画像データである読取画像データを生成する画像読取手段と、
前記ネットワークを介して、前記画像表示装置との間でデータ通信を行う読取装置側通信手段と、
前記画像表示装置へ前記読取画像データを送信させるための画像送信指令の入力を条件として、前記画像読取手段を動作させ、前記画像読取手段が生成した前記読取画像データを、直接、前記ネットワークを介して、前記画像表示装置へ送信させるよう前記読取装置側通信手段を制御する読取装置側通信制御手段と、
を備え、
前記記憶装置は、
画像を表すデータである画像データを含むデータを記憶する画像データ記憶手段と、
前記画像データ記憶手段に記憶された画像データである記憶画像データを選択するための画像選択指令の入力を条件として、前記画像選択指令によって特定される前記記憶画像データを、前記画像データ記憶手段から抽出する抽出手段と、
前記ネットワークを介して、前記画像表示装置との間でデータ通信を行う記憶装置側通信手段と、
前記抽出手段により抽出された前記記憶画像データを、前記画像表示装置へ送信させるよう前記記憶装置側通信手段を制御する記憶装置側通信制御手段と、
を備え、
前記画像表示装置は、
前記ネットワークを介して、前記画像読取装置及び前記記憶装置との間でデータ通信を行う表示装置側通信手段と、
前記画像読取装置に対する前記画像送信指令、及び、前記記憶装置に対する前記画像選択指令を入力する指令手段と、
前記指令手段による指令を送信するよう前記表示装置側通信手段を制御する表示装置側通信制御手段と、
前記表示装置側通信手段が、前記読取画像データ又は前記記憶画像データを受信したことを条件として、これら両画像データにより表される画像を表示する画像表示手段と、
を備える、
ことを特徴とするネットワークシステム。
【請求項２】
前記画像読取装置は、
前記画像読取装置に動作を開始させるための読取開始指令が入力される読取開始指令入力手段と、
前記読取開始指令入力手段への前記読取開始指令の入力を条件として、前記読取装置側通信手段に、前記画像読取手段が読み取った画像の内容が更新された旨を示す更新通知情報を前記画像表示装置へ送信させる第１更新通知手段と、
を備える、
ことを特徴とする請求項１に記載のネットワークシステム。
【請求項３】
前記画像読取装置は、
前記画像読取手段に画像を読み取らせるために印刷媒体を載置する載置面を開閉する載置面カバーの開閉を検出する開閉検出手段と、
前記開閉検出手段により前記載置面カバーが開状態から閉状態に遷移したことが検出された場合に、前記読取装置側通信手段に、前記画像読取手段が読み取った画像の内容が更新された旨を示す更新通知情報を前記画像表示装置へ送信させる第２更新通知手段と、
を備える、
ことを特徴とする請求項１または請求項２に記載のネットワークシステム。
【請求項４】
前記読取装置側通信制御手段は、
前記画像読取手段を予め設定された所定読取時間毎に動作させ、前記画像読取手段が生成した前記読取画像データを動画データに変換し、この動画データを前記読取画像データとして前記画像表示装置へ送信させる、
ことを特徴とする請求項１〜請求項３の何れかに記載のネットワークシステム。
【請求項５】
画像を表示する画像表示装置とネットワークで接続可能に構成された画像読取装置であって、
画像が形成された印刷媒体から、画像を読み取り、読み取った画像データである読取画像データを生成する画像読取手段と、
前記ネットワークを介して、前記画像表示装置との間でデータ通信を行う読取装置側通信手段と、
前記画像表示装置へ前記読取画像データを送信させるための画像送信指令の入力を条件として、前記画像読取手段を動作させ、前記画像読取手段が生成した前記読取画像データを、直接、前記ネットワークを介して、前記画像表示装置へ送信させるよう前記読取装置側通信手段を制御する読取装置側通信制御手段と、
を備えることを特徴とする画像読取装置。
【請求項６】
画像を表示する画像表示装置とネットワークで接続可能に構成された画像読取装置に搭載されたコンピュータが読み取り可能なプログラムであって、
該コンピュータを、
画像が形成された印刷媒体から、画像を読み取り、読み取った画像データである読取画像データを生成する画像読取手段、
前記ネットワークを介して、前記画像表示装置との間でデータ通信を行う読取装置側通信手段、
前記画像表示装置へ前記読取画像データを送信させるための画像送信指令の入力を条件として、前記画像読取手段を動作させ、前記画像読取手段が生成した前記読取画像データを、直接、前記ネットワークを介して、前記画像表示装置へ送信させるよう前記読取装置側通信手段を制御する読取装置側通信制御手段
として機能させるためのプログラム。
【発明の詳細な説明】
【技術分野】
【０００１】
本発明は、例えば、ローカルエリアネットワーク（以降、ＬＡＮと称す）などのネットワークシステム、及び原稿の画像を電子データとして読み取る画像読取装置に関する。
【背景技術】
【０００２】
現在では、各種電気機器をＬＡＮで接続したネットワークシステムが家庭内においても普及している（例えば、特許文献１参照。）。
このような状況下において、デジタル家電機器，モバイル機器及びパーソナルコンピュータ（ＰＣ）をＬＡＮで相互に接続して、音楽，静止画及び動画のデータを共有するために、ＤＬＮＡ（登録商標）（Digital Living Network Alliance）という規格が提唱されている。
【０００３】
この規格を採用したネットワークシステムでは、家庭内のホームサーバやＰＣに保存されたコンテンツを、ネットワークを経由してさまざまな家電から操作し、視聴することが可能になる（例えば、非特許文献１参照。）。
【０００４】
つまり、ＤＬＮＡ（登録商標）規格は、サーバやＰＣに保存されたコンテンツを共有する技術である。
【特許文献１】特開２００２−３１９９４７号公報
【非特許文献１】永井美智子、“PC／家電の相互接続性を保証するDLNA、各社から対応製品も登場”、[online]、2004年10月6日、CNET Japan編集部、［2005年9月16日検索］、インターネット＜URL: http://japan.cnet.com/news/tech/story/0,2000047674,20074987,00.htm ＞
【発明の開示】
【発明が解決しようとする課題】
【０００５】
しかしながらＤＬＮＡ（登録商標）規格では、読み取られた画像データを一旦記憶して、その後に、ユーザによって画像データを選択するという手順をとる必要がある。このため、画像読取装置で読み取られた画像データをリアルタイムでテレビに表示させることができなかった。
【０００６】
本発明は、こうした問題に鑑みなされたものであり、両画像データにより表される画像を表示する画像表示装置が接続されたネットワークシステムにおいて、画像データをリアルタイムで画像表示装置に表示させることを可能にする技術を提供することを目的とする。
【課題を解決するための手段】
【０００７】
上記目的を達成するためになされた請求項１に記載の発明は、画像を読み取る画像読取装置と、画像を表示する画像表示装置と、画像読取装置及び画像表示装置からアクセス可能で、かつ、画像を表すデータである画像データを含むデータを記憶する記憶装置と、がネットワークで接続されて構成されるネットワークシステムであって、画像読取装置は、画像が形成された印刷媒体から、画像を読み取り、読み取った画像データである読取画像データを生成する画像読取手段と、ネットワークを介して、画像表示装置との間でデータ通信を行う読取装置側通信手段と、画像表示装置へ読取画像データを送信させるための画像送信指令の入力を条件として、画像読取手段を動作させ、画像読取手段が生成した読取画像データを、直接、ネットワークを介して、画像表示装置へ送信させるよう読取装置側通信手段を制御する読取装置側通信制御手段と、を備え、記憶装置は、画像を表すデータである画像データを含むデータを記憶する画像データ記憶手段と、画像データ記憶手段に記憶された画像データである記憶画像データを選択するための画像選択指令の入力を条件として、画像選択指令によって特定される記憶画像データを、画像データ記憶手段から抽出する抽出手段と、ネットワークを介して、画像表示装置との間でデータ通信を行う記憶装置側通信手段と、抽出手段により抽出された記憶画像データを、画像表示装置へ送信させるよう記憶装置側通信手段を制御する記憶装置側通信制御手段と、を備え、画像表示装置は、ネットワークを介して、画像読取装置及び記憶装置との間でデータ通信を行う表示装置側通信手段と、画像読取装置に対する画像送信指令、及び、記憶装置に対する画像選択指令を入力する指令手段と、指令手段による指令を送信するよう表示装置側通信手段を制御する表示装置側通信制御手段と、表示装置側通信手段が、読取画像データ又は記憶画像データを受信したことを条件として、これら両画像データにより表される画像を表示する画像表示手段と、を備えることを特徴とする。
【０００８】
このように構成されたネットワークシステムでは、画像表示装置側において、記憶装置に対する画像選択指令が指令手段から入力された場合には、表示装置側通信制御手段は、この画像選択指令を送信するよう表示装置側通信手段を制御する。そして記憶装置側において、抽出手段は、画像選択指令が入力されると、画像選択指令によって特定される記憶画像データを、画像データ記憶手段から抽出し、記憶装置側通信制御手段は、抽出手段により抽出された記憶画像データを、画像表示装置へ送信させるよう記憶装置側通信手段を制御する。画像表示手段は、表示装置側通信手段が、記憶画像データを受信すると、この画像データにより表される画像を表示する。
【０００９】
一方、画像表示装置側において、画像読取装置に対する画像送信指令が指令手段から入力された場合には、表示装置側通信制御手段は、この画像送信指令を送信するよう表示装置側通信手段を制御する。そして画像読取装置側において、読取装置側通信制御手段は、画像送信指令が入力されると、画像読取手段を動作させ、画像読取手段が生成した読取画像データを、直接、ネットワークを介して、画像表示装置へ送信させるよう読取装置側通信手段を制御する。画像表示手段は、表示装置側通信手段が、読取画像データを受信すると、この画像データにより表される画像を表示する。
【００１０】
従って、記憶装置に記憶されていない画像データであっても、画像読取装置から画像を読み込み、この読取画像データを、直接、ネットワークを介して画像表示装置へ送信することにより、画像表示手段に表示することができる。つまり利用者は、本発明のネットワークシステムにより、画像読取装置で読み取られた画像データをリアルタイムでテレビに表示できる。
【００１１】
また、画像読取装置で生成された読取画像データは、記憶装置に記憶されることなく画像表示装置へ送信されるため、記憶する必要がない画像データを記憶装置に記憶するという無駄を省略できる。
【００１２】
尚、記憶装置は、ネットワーク上に単独で存在してもよいし、画像読取装置に含まれた構成であってもよい。
ところで、画像読取装置側において、画像読取装置に動作を開始させるための操作（例えば、読込開始ボタンの押下）が行われるということは、新たに違う内容の画像を画像読取装置に読み込ませるということである。
【００１３】
そこで、請求項１に記載のネットワークシステムにおいて、請求項２に記載のように、画像読取装置は、画像読取装置に動作を開始させるための読取開始指令が入力される読取開始指令入力手段と、読取開始指令入力手段への読取開始指令の入力を条件として、読取装置側通信手段に、画像読取手段が読み取った画像の内容が更新された旨を示す更新通知情報を画像表示装置へ送信させる第１更新通知手段とを備えるようにするとよい。
【００１４】
このように構成されたネットワークシステムでは、画像表示装置は更新通知情報を受け取ることができる。このため利用者は、画像表示装置側にいながらにして、画像読取手段が読み取った画像の内容が更新されたことを知ることができる。
【００１５】
また、新たに違う内容の画像を画像読取装置に読み込ませる場合には、印刷媒体を載置する載置面を開閉する載置面カバーを開けて、載置面上の印刷媒体を入れ替え、その後に載置面カバーを閉める。即ち、載置面カバーが開状態から閉状態に遷移するということは、新たに違う内容の画像を画像読取装置に読み込ませることである可能性が高い。
【００１６】
そこで請求項１または請求項２に記載のネットワークシステムにおいて、請求項３に記載のように、画像読取装置は、画像読取手段に画像を読み取らせるために印刷媒体を載置する載置面を開閉する載置面カバーの開閉を検出する開閉検出手段と、開閉検出手段により載置面カバーが開状態から閉状態に遷移したことが検出された場合に、読取装置側通信手段に、画像読取手段が読み取った画像の内容が更新された旨を示す更新通知情報を画像表示装置へ送信させる第２更新通知手段とを備えるようにするとよい。
【００１７】
このように構成されたネットワークシステムでは、画像表示装置は更新通知情報を受け取ることができる。このため利用者は、画像表示装置側にいながらにして、画像読取手段が読み取った画像の内容が更新されたことを知ることができる。
【００１８】
また請求項１〜請求項３の何れかに記載のネットワークシステムにおいて、請求項４に記載のように、読取装置側通信制御手段は、画像読取手段を予め設定された所定読取時間毎に動作させ、画像読取手段が生成した読取画像データを動画データに変換し、この動画データを読取画像データとして画像表示装置へ送信させるようにするとよい。
【００１９】
このように構成されたネットワークシステムでは、画像表示装置側において、画像表示手段は、表示装置側通信手段が、動画データを受信すると、この動画データにより表される動画を表示する。
【００２０】
即ち、画像読取装置側では、所定読取時間毎に自動的に画像読取手段が読み取り動作を行い、常時、動画データを送信する。このため、画像読取手段により読み取ませる画像が変更される度に、画像表示装置側から、読み取りを開始させるための指示を画像読取装置へ行う必要がなくなる。
【００２１】
また請求項５に記載の発明は、画像を表示する画像表示装置とネットワークで接続可能に構成された画像読取装置であって、画像が形成された印刷媒体から、画像を読み取り、読み取った画像データである読取画像データを生成する画像読取手段と、ネットワークを介して、画像表示装置との間でデータ通信を行う読取装置側通信手段と、画像表示装置へ読取画像データを送信させるための画像送信指令の入力を条件として、画像読取手段を動作させ、画像読取手段が生成した読取画像データを、直接、ネットワークを介して、画像表示装置へ送信させるよう読取装置側通信手段を制御する読取装置側通信制御手段とを備えることを特徴とする。
【００２２】
即ち、この画像読取装置は、請求項１に記載のネットワークシステムを実現するためのものであり、請求項１に記載のネットワークシステムと同様の効果を得ることができる。
また請求項６に記載の発明は、画像を表示する画像表示装置とネットワークで接続可能に構成された画像読取装置に搭載されたコンピュータが読み取り可能なプログラムであって、該コンピュータを、画像が形成された印刷媒体から、画像を読み取り、読み取った画像データである読取画像データを生成する画像読取手段、ネットワークを介して、画像表示装置との間でデータ通信を行う読取装置側通信手段、画像表示装置へ読取画像データを送信させるための画像送信指令の入力を条件として、画像読取手段を動作させ、画像読取手段が生成した読取画像データを、直接、ネットワークを介して、画像表示装置へ送信させるよう読取装置側通信手段を制御する読取装置側通信制御手段として機能させるためのプログラムである。
【００２３】
このようなプログラムによって制御されるコンピュータシステムは、請求項５に記載の画像読取装置の一部を構成することができ、同画像読取装置と同様の作用・効果を得ることができる。
【００２４】
尚、このような画像読取装置が備える各手段をコンピュータにて実現する機能は、例えば、コンピュータ側で起動するプログラムとして備えられる。このようなプログラムの場合、例えば、フレキシブルディスク，光磁気ディスク，ＣＤ−ＲＯＭ，ＤＶＤ−ＲＯＭ，ハードディスク，ＲＯＭ，ＲＡＭ等のコンピュータ読み取り可能な記録媒体に記録し、必要に応じてコンピュータにロードして起動することにより用いることができ、また、ネットワークを介してロードして起動することにより用いることができる。
【発明を実施するための最良の形態】
【００２５】
（第１実施形態）
以下に本発明の第１実施形態を図面とともに説明する。
図１はネットワークシステム１の電気的構成を表すブロック図である。
【００２６】
ネットワークシステム１は、図１に示すように、スキャナ及びプリンタとしての機能を有する複合機２と、画像を表示するテレビ３とが、ＬＡＮ５を介してデータ通信可能に接続されて構成される。
【００２７】
これらのうち複合機２は、ＣＰＵ，ＲＯＭ，ＲＡＭ等からなる周知のマイクロコンピュータを中心に構成されて複合機２全体の動作を制御する制御部１１と、書き込み可能な記憶媒体（メモリカードやハードディスク等）を有する記憶部１２と、ＬＡＮ５を介してテレビモニタ６（後述）との間でデータ通信を行う通信部１３と、利用者により操作可能な複数の操作キー１４ａおよび各種情報を表示する表示パネル１４ｂからなるユーザインターフェース部（以降、ユーザＩ／Ｆとする）１４と、制御部１１からの指令を受けて、所定の原稿台（不図示）の載置面上に載置された用紙から画像を読み取り、この画像を表すデータを生成するスキャナ部１５と、制御部１１からの指令を受けて、所定の給紙位置（不図示）から給紙された用紙に画像を印刷する印刷部１６と、原稿台の載置面を開閉する原稿カバー（不図示）の開閉を検出する原稿カバーセンサ１７とから構成される。
【００２８】
なお制御部１１のＲＡＭ内には、スキャナ部１５で読み取った画像を表すデータを一時的に記憶するためのバッファが設けられている。
また記憶部１２の記憶領域内には、図２に示すように、静止画データのファイル（以降、イメージ・ファイルと称す）を格納するためのイメージ・フォルダ１２ａと、音楽データのファイル（以降、オーディオ・ファイルと称す）を格納するためのオーディオ・フォルダ１２ｂと、動画データのファイル（以降、ビデオ・ファイルと称す）を格納するためのビデオ・フォルダ１２ｃが設けられている。
【００２９】
そしてイメージ・フォルダ１２ａ内には、イメージ・ファイルＦ１が格納される（図中ではＮ個（Ｎは整数）のファイルを格納）とともに、スキャナ部を動作開始するためのアイコンＩ１（後述）をテレビモニタ６に表示させるためのスキャナ仮想ファイルＦ２が格納される。
【００３０】
またオーディオ・フォルダ１２ｂ内には、オーディオ・ファイルＦ３が格納され（図中ではＭ個（Ｍは整数）のファイルを格納）、ビデオ・フォルダ１２ｃ内には、ビデオ・ファイルＦ４が格納される（図中ではＬ個（Ｌは整数）のファイルを格納）。
【００３１】
このように構成された複合機２において、制御部１１は、スキャナ部１５で読み取った画像を表すデータをイメージ・ファイルとしてテレビモニタ６へ送信するファイル送信処理と、スキャナ部１５で読み取った画像の内容が更新された旨をテレビモニタ６へ通知する更新通知処理とをそれぞれ独立に実行する。
【００３２】
またテレビ３は、液晶ディスプレイ等からなる表示画面に画像を表示するテレビモニタ６と、利用者がテレビモニタ６を遠隔操作するためのリモコン７とから構成される。
これらのうちテレビモニタ６は、テレビモニタ６全体の動作を制御する制御部２１と、ＬＡＮ５を介して複合機２との間でデータ通信を行う通信部２２と、制御部２１からの指令を受けて、表示画面に画像を表示する表示部２３と、制御部２１からの指令を受けて、音声を出力する音声出力部２４と、リモコン７からの信号を受信するリモコン受信部２５から構成される。
【００３３】
尚、表示部２３は、利用者が表示される画面を見ながらリモコン７を用いて行う操作に基づいて、記憶部１２に記憶されたファイルの選択や、スキャナ部１５の動作を開始させる指示を出すためのファイル選択画面を表示する。
【００３４】
このファイル選択画面は、図３に示すように、イメージ・ファイルＦ１を表示するフォト表示領域Ｈ１と、オーディオ・ファイルＦ３を表示するオーディオ表示領域Ｈ２と、ビデオ・ファイルＦ４を表示するビデオ表示領域Ｈ３とに分割されている。
【００３５】
更にフォト表示領域Ｈ１内には、スキャナ部１５の動作を開始させる指示を出す際に選択されるスキャナアイコンＩ１と、スキャナ部１５に読み取らせた画像が縮小表示されるプレビュー画面Ｐ１が設けられている。
【００３６】
このように構成されたテレビモニタ６において、制御部２１は、リモコン７を介して入力される各種指令を複合機２へ送信する指令送信処理と、受信したファイルを再生する再生処理とをそれぞれ独立に実行する。
【００３７】
ここで、複合機２の制御部１１が実行するファイル送信処理の手順を、図４を用いて説明する。図４はファイル送信処理を表すフローチャートである。尚、このファイル送信処理は、制御部１１が起動（電源オン）している間に繰り返し実行される処理である。
【００３８】
このファイル送信処理が実行されると、制御部１１は、まずＳ１０にて、テレビモニタ６からファイル転送指令（後述）またはスキャナ転送指令（後述）を受信したか否かを判断する。ここで、ファイル転送指令またはスキャナ転送指令を受信していない場合には（Ｓ１０：ＮＯ）、Ｓ１０の処理を繰り返す。一方、ファイル転送指令またはスキャナ転送指令を受信した場合には（Ｓ１０：ＹＥＳ）、Ｓ２０にて、受信した指令はスキャナ転送指令であるか否かを判断する。
【００３９】
ここで、スキャナ転送指令でない場合には（Ｓ２０：ＮＯ）、ファイル転送指令を受信したと判断し、Ｓ３０にて、ファイル転送指令により指示されたイメージ・ファイルＦ１，オーディオ・ファイルＦ３またはビデオ・ファイルＦ４を記憶部１２から抽出する。そしてＳ４０にて、Ｓ３０で抽出されたファイルをテレビモニタ６へ送信し、Ｓ９０に移行する。
【００４０】
一方、Ｓ２０にて、受信した指令がスキャナ転送指令である場合には（Ｓ２０：ＹＥＳ）、Ｓ５０にて、スキャナ部１５にスキャナ動作を開始させて画像を読み込ませ、読み込ませた画像を表す画像データ（以降、読取画像データと称す）を生成させる。
【００４１】
その後Ｓ６０にて、スキャナ部１５が生成した読取画像データを、制御部１１のＲＡＭ内のバッファに格納する。そしてＳ７０にて、バッファに格納された読取画像データをＪＰＥＧ形式に変換し、更にＳ８０にて、Ｓ７０にて変換された読取画像データをイメージ・ファイルＦ１としてテレビモニタ６へ送信し、Ｓ９０に移行する。
【００４２】
そしてＳ９０に移行すると、テレビモニタ６から転送中止指令（後述）を受信したか、ファイル送信が終了したか否かを判断する。ここで、転送中止指令を受信しておらず且つファイル送信が終了していない場合には（Ｓ９０：ＮＯ）、Ｓ９０の処理を繰り返す。一方、転送中止指令を受信したか、ファイル送信が終了した場合には（Ｓ９０：ＹＥＳ）、ファイル送信処理を終了する。
【００４３】
次に、複合機２の制御部１１が実行する更新通知処理の手順を、図５を用いて説明する。図５は更新通知処理を表すフローチャートである。尚、この更新通知処理は、制御部１１が起動（電源オン）している間に繰り返し実行される処理である。
【００４４】
この更新通知処理が実行されると、制御部１１は、まずＳ２１０にて、操作キー１４ａを介してスキャン動作を開始させるための操作が行われたか否か、または原稿カバーが開状態から閉状態へ移行したことを原稿カバーセンサ１７が検知したか否か、またはテレビモニタ６から選択画面表示指令（後述）を受信したか否かを判断する。
【００４５】
ここで、上記３つの条件の何れも成立していない場合には（Ｓ２１０：ＮＯ）、Ｓ２１０の処理を繰り返す。一方、上記３つの条件の何れかが成立している場合には（Ｓ２１０：ＹＥＳ）、Ｓ２２０にて、スキャナ部１５にスキャナ動作を開始させて画像を読み込ませ、読み込ませた画像を表す画像データ（読取画像データ）を生成させる。
【００４６】
その後Ｓ２３０にて、スキャナ部１５が生成した読取画像データを、制御部１１のＲＡＭ内のバッファに格納する。そしてＳ２４０にて、バッファに格納された読取画像データをＪＰＥＧ形式に変換し、更にＳ２５０にて、Ｓ２４０で変換された読取画像データをもとにプレビュー画面Ｐ１に表示させるためのプレビュー用画像データを作成し、このプレビュー用画像データと、スキャナ部１５で読み取った画像の内容が更新された旨を通知する更新通知データと、記憶部１２に記憶された全てのイメージ・ファイルＦ１，オーディオ・ファイルＦ３及びビデオ・ファイルＦ４を特定するための情報（例えば、ファイル名。以降、全ファイル特定情報と称す）をテレビモニタ６へ送信する。尚、プレビュー用画像データと更新通知データと全ファイル特定情報とをまとめて、選択画面用データを称す。
【００４７】
そして、送信が完了すると、更新通知処理を終了する。
次に、テレビモニタ６の制御部２１が実行する指令送信処理の手順を、図６を用いて説明する。図６は指令送信処理を表すフローチャートである。尚、この指令送信処理は、制御部２１が起動（電源オン）している間に繰り返し実行される処理である。
【００４８】
この指令送信処理が実行されると、制御部２１は、まずＳ４１０にて、リモコン７を介してファイル選択画面を表示させるための操作（以降、選択画面表示操作と称す）が行われたか否かを判断する。ここで、選択画面表示操作が行われていない場合には（Ｓ４１０：ＮＯ）、Ｓ４３０に移行する。一方、選択画面表示操作が行われた場合には（Ｓ４１０：ＹＥＳ）、Ｓ４２０にて、ファイル選択画面を表示させるための選択画面表示指令を複合機２へ送信し、Ｓ４３０に移行する。
【００４９】
そしてＳ４３０に移行すると、リモコン７を介してファイル選択画面上のイメージ・ファイルＦ１，オーディオ・ファイルＦ３またはビデオ・ファイルＦ４を選択する操作（以降、ファイル選択操作と称す）が行われたか否かを判断する。ここで、ファイル選択操作が行われていない場合には（Ｓ４３０：ＮＯ）、Ｓ４５０に移行する。一方、ファイル選択操作が行われた場合には（Ｓ４３０：ＹＥＳ）、Ｓ４４０にて、選択したファイルを転送させるためのファイル転送指令を複合機２へ送信し、Ｓ４５０に移行する。
【００５０】
そしてＳ４５０に移行すると、リモコン７を介してファイル選択画面上のスキャナアイコンＩ１を選択する操作（以降、スキャナ選択操作と称す）が行われたか否かを判断する。ここで、スキャナ選択操作が行われていない場合には（Ｓ４５０：ＮＯ）、Ｓ４７０に移行する。一方、スキャナ選択操作が行われた場合には（Ｓ４５０：ＹＥＳ）、Ｓ４６０にて、スキャナ部１５に読み取らせたデータを転送させるためのスキャナ転送指令を複合機２へ送信し、Ｓ４７０に移行する。
【００５１】
そしてＳ４７０に移行すると、リモコン７を介してファイルの転送を途中で中止させる操作（以降、転送中止操作と称す）が行われたか否かを判断する。ここで、転送中止操作が行われていない場合には（Ｓ４７０：ＮＯ）、指令送信処理を終了する。一方、転送中止操作が行われた場合には（Ｓ４７０：ＹＥＳ）、Ｓ４８０にて、ファイルの転送を途中で中止させるための転送中止指令を複合機２へ送信し、指令送信処理を終了する。
【００５２】
次に、テレビモニタ６の制御部２１が実行する再生処理の手順を、図７を用いて説明する。図７は再生処理を表すフローチャートである。尚、この再生処理は、制御部２１が起動（電源オン）している間に繰り返し実行される処理である。
【００５３】
この再生処理が実行されると、制御部２１は、まずＳ６１０にて、複合機２から選択画面用データを受信したか否かを判断する。ここで、選択画面用データを受信していない場合には（Ｓ６１０：ＮＯ）、Ｓ６３０に移行する。
【００５４】
一方、選択画面用データを受信した場合には（Ｓ６１０：ＹＥＳ）、Ｓ６２０にて、受信した選択画面用データに基づいたファイル選択画面を表示部２３に表示させ、Ｓ６３０に移行する。即ち、受信した全ファイル特定情報に基づいて、記憶部１２に記憶された全てのイメージ・ファイルＦ１，オーディオ・ファイルＦ３，ビデオ・ファイルＦ４のファイル名とそのファイルを示すアイコンをフォト表示領域Ｈ１とオーディオ表示領域Ｈ２とビデオ表示領域Ｈ３とに分割して表示する。また、受信したプレビュー用画像データに基づいた画像をプレビュー画面Ｐ１に表示させる。また、受信した更新通知データに基づいて、スキャナアイコンＩ１を点滅表示させる。
【００５５】
そしてＳ６３０に移行すると、複合機２からイメージ・ファイルＦ１を受信したか否かを判断する。ここで、イメージ・ファイルＦ１を受信していない場合には（Ｓ６３０：ＮＯ）、Ｓ６５０に移行する。一方、イメージ・ファイルＦ１を受信した場合には（Ｓ６３０：ＹＥＳ）、Ｓ６４０にて、表示部２３に、受信したイメージ・ファイルＦ１に基づいた静止画像を表示させ、Ｓ６５０に移行する。
【００５６】
そしてＳ６５０に移行すると、複合機２からオーディオ・ファイルＦ３を受信したか否かを判断する。ここで、オーディオ・ファイルＦ３を受信していない場合には（Ｓ６５０：ＮＯ）、Ｓ６７０に移行する。一方、オーディオ・ファイルＦ３を受信した場合には（Ｓ６５０：ＹＥＳ）、Ｓ６６０にて、音声出力部２４に、受信したオーディオ・ファイルＦ３に基づいた音声を出力させ、Ｓ６７０に移行する。
【００５７】
そしてＳ６７０に移行すると、複合機２からビデオ・ファイルＦ４を受信したか否かを判断する。ここで、ビデオ・ファイルＦ４を受信していない場合には（Ｓ６７０：ＮＯ）、再生処理を終了する。一方、ビデオ・ファイルＦ４を受信した場合には（Ｓ６７０：ＹＥＳ）、Ｓ６８０にて、受信したビデオ・ファイルＦ４に基づいた動画を表示部２３に表示させるとともに、受信したビデオ・ファイルＦ４に基づいた音声を音声出力部２４に出力させ、再生処理を終了する。
【００５８】
このように構成されたネットワークシステム１において、テレビ３側でリモコン７を介して選択画面表示操作が行われると（Ｓ４１０：ＹＥＳ）、テレビモニタ６は選択画面表示指令を複合機２へ送信する（Ｓ４２０）。そして複合機２側において、選択画面表示指令を受信すると（Ｓ２１０：ＹＥＳ）、複合機２は選択画面用データをテレビモニタ６へ送信する（Ｓ２５０）。その後テレビ３側において、選択画面用データを受信すると（Ｓ６１０：ＹＥＳ）、受信した選択画面用データに基づいたファイル選択画面を表示部２３に表示させる（Ｓ６２０）。
【００５９】
その後テレビ３側において、リモコン７を介してファイル選択操作が行われると（Ｓ４３０：ＹＥＳ）、テレビモニタ６はファイル転送指令を複合機２へ送信する（Ｓ４４０）。そして複合機２側において、ファイル転送指令を受信すると（Ｓ２０：ＮＯ）、ファイル転送指令により指示されたイメージ・ファイルＦ１，オーディオ・ファイルＦ３またはビデオ・ファイルＦ４を記憶部１２から抽出して（Ｓ３０）、テレビモニタ６へ送信する（Ｓ４０）。その後テレビ３側において、イメージ・ファイルＦ１を受信した場合には（Ｓ６３０：ＹＥＳ）、受信したイメージ・ファイルＦ１に基づいた静止画像を表示部２３に表示させ（Ｓ６４０）、オーディオ・ファイルＦ３を受信した場合には（Ｓ６５０：ＹＥＳ）、受信したオーディオ・ファイルＦ３に基づいた音声を音声出力部２４に出力させ、ビデオ・ファイルＦ４を受信した場合には（Ｓ６７０：ＹＥＳ）、受信したビデオ・ファイルＦ４に基づいた動画を表示部２３に表示させるとともに、受信したビデオ・ファイルＦ４に基づいた音声を音声出力部２４に出力させる（Ｓ６８０）。
【００６０】
またはテレビ３側において、リモコン７を介してスキャナ選択操作が行われると（Ｓ４５０：ＹＥＳ）、テレビモニタ６はスキャナ転送指令を複合機２へ送信する（Ｓ４６０）。そして複合機２側において、スキャナ転送指令を受信すると（Ｓ２０：ＹＥＳ）、スキャナ部１５にスキャナ動作を開始させて画像を読み込ませ（Ｓ５０）、スキャナ部１５が生成したデータをＪＰＥＧ形式に変換し（Ｓ７０）、変換したデータをイメージ・ファイルＦ１としてテレビモニタ６へ直接、ＬＡＮ５を介して送信する（Ｓ８０）。その後テレビ３側において、イメージ・ファイルＦ１を受信すると（Ｓ６３０：ＹＥＳ）、受信したイメージ・ファイルＦ１に基づいた静止画像を表示部２３に表示させる（Ｓ６４０）。
【００６１】
従って、記憶部１２に記憶されていない画像データであっても、複合機２から画像を読み込み、生成した読取画像データを、ＬＡＮ５を介して直接テレビモニタ６へ送信することにより、テレビモニタ６（表示部２３）に表示することができる。つまり利用者は、複合機２で読み取られた画像データ（読取画像データ）をリアルタイムでテレビモニタ６に表示できる。
【００６２】
また、複合機２で生成された読取画像データは、記憶部１２に記憶されることなくテレビモニタ６へ送信されるため、記憶する必要がない画像データを記憶部１２に記憶するという無駄を省略できる。
【００６３】
また、操作キー１４ａを介してスキャン動作を開始させるための操作が行われるか、原稿カバーが開状態から閉状態へ移行したことを原稿カバーセンサ１７が検知すると（Ｓ２１０：ＹＥＳ）、複合機２は更新通知データとプレビュー用画像データをテレビモニタ６へ送信する（Ｓ２５０）。その後テレビ３側において、更新通知データとプレビュー用画像データを受信すると（Ｓ６１０：ＹＥＳ）、ファイル選択画面におけるスキャナアイコンＩ１を点滅表示させるとともに、受信したプレビュー用画像データに基づいた画像をプレビュー画面Ｐ１に表示させる（Ｓ６２０）。
【００６４】
このため利用者は、スキャナアイコンＩ１の点滅表示を見ることによって、テレビ３側にいながらにして、複合機２が読み取った画像の内容が更新されたことを知ることができる。また、プレビュー画面Ｐ１を見ることによって、更新された画像を確認できる。
【００６５】
以上説明した第１実施形態において、複合機２は本発明における画像読取装置、スキャナ部１５は本発明における画像読取手段、通信部１３は本発明における読取装置側通信手段、Ｓ１０，Ｓ２０及びＳ５０〜Ｓ８０の処理は本発明における読取装置側通信制御手段である。
【００６６】
また、記憶部１２，通信部１３，Ｓ３０の処理及びＳ４０の処理は本発明における記憶装置、記憶部１２は本発明における画像データ記憶手段、Ｓ３０の処理は本発明における抽出手段、通信部１３は本発明における記憶装置側通信手段、Ｓ４０の処理は本発明における記憶装置側通信制御手段である。
【００６７】
また、テレビ３は本発明における画像表示装置、通信部２２は本発明における表示装置側通信手段、リモコン受信部２５及びリモコン７は本発明における指令手段、指令送信処理は本発明における表示装置側通信制御手段、再生処理は本発明における画像表示手段である。
【００６８】
また、ユーザＩ／Ｆ１４は本発明における読取開始指令入力手段、Ｓ２１０及びＳ２５０の処理は本発明における第１更新通知手段、更新通知データは本発明における更新通知情報である。
【００６９】
また、原稿カバーセンサ１７は本発明における検出する開閉検出手段、Ｓ２１０及びＳ２５０の処理は本発明における第２更新通知手段である。
（第２実施形態）
以下に本発明の第２実施形態について図面をもとに説明する。尚、第２実施形態では、第１実施形態と異なる部分のみを説明する。
【００７０】
第２実施形態のネットワークシステム１が第１実施形態と異なるのは、記憶部１２に記憶されているスキャナ仮想ファイルＦ２の格納場所が変更された点と、ファイル送信処理の手順が変更されている点と、更新通知処理が省略された点である。
【００７１】
まずスキャナ仮想ファイルＦ２は、図８に示すように、ビデオ・フォルダ１２ｃ内に格納される。
これにより、ファイル選択画面は、図９に示すように、スキャナアイコンＩ１がビデオ表示領域Ｈ３内に表示される。
【００７２】
以下に、第２実施形態におけるファイル送信処理の手順を、図１０を用いて説明する。図１０はファイル送信処理を表すフローチャートである。
図１０に示すように、第２実施形態のファイル送信処理において第１実施形態と異なるのは、Ｓ５０，７０及びＳ８０の処理が省略されて、Ｓ４５及びＳ７５の処理が追加された点である。
【００７３】
即ちＳ２０にて、受信した指令がスキャナ転送指令である場合には（Ｓ２０：ＹＥＳ）、Ｓ４５にて、スキャナ部１５にスキャナ動作を開始させて、所定読取時間毎（例えば、５秒）に継続して、画像を読み込ませ、読み込ませた画像を表す画像データ（読取画像データ）を生成させる。その後Ｓ６０にて、スキャナ部１５が生成した読取画像データを、制御部１１のＲＡＭ内のバッファに格納する。そしてＳ７５にて、バッファに格納された読取画像データをＭＰＥＧ形式に変換しながら、ビデオ・ファイルＦ４としてテレビモニタ６へ送信し、Ｓ９０に移行する。
【００７４】
このように構成されたネットワークシステム１において、テレビ３側でリモコン７を介してスキャナ選択操作が行われると（Ｓ４５０：ＹＥＳ）、テレビモニタ６はスキャナ転送指令を複合機２へ送信する（Ｓ４６０）。そして複合機２側において、スキャナ転送指令を受信すると（Ｓ２０：ＹＥＳ）、スキャナ部１５にスキャナ動作を開始させて、所定読取時間毎に継続して、画像を読み込ませ、読み込ませた画像を表す画像データ（読取画像データ）を生成させる（Ｓ４５）。そして、スキャナ部１５が生成したデータをＭＰＥＧ形式に変換しながら、ビデオ・ファイルＦ４としてテレビモニタ６へ直接、送信ＬＡＮ５を介して送信する（Ｓ７５）。その後テレビ３側において、ビデオ・ファイルＦ４を受信すると（Ｓ６７０：ＹＥＳ）、受信したビデオ・ファイルＦ４に基づいた動画を表示部２３に表示させる（Ｓ６８０）。
【００７５】
即ち、複合機２側では、所定読取時間毎に自動的にスキャナ部１５が読み取り動作を行い、常時、動画データを送信する。このため、スキャナ部１５により読み取ませる画像が変更される度に、テレビ３側から、読み取りを開始させるための指示を複合機２へ行う必要がなくなる。
【００７６】
以上説明した第２実施形態において、Ｓ１０，Ｓ２０，Ｓ４５，Ｓ６０及びＳ７５の処理は本発明における読取装置側通信制御手段、Ｓ７５の処理でＭＰＥＧ形式に変換されたデータは本発明における動画データである。
【００７７】
以上、本発明の一実施例について説明したが、本発明は上記実施例に限定されるものではなく、本発明の技術的範囲に属する限り種々の形態を採ることができる。
例えば上記実施形態では、記憶部１２が複合機２の中に含まれているものを示した。しかし、記憶部１２を含む記憶装置がＬＡＮ５上において単独で存在するようにしてもよい。即ち、この記憶装置を、記憶装置全体の動作を制御する制御部と、記憶部１２と、ＬＡＮ５を介して複合機２及びテレビモニタ６との間でデータ通信を行う通信部とから構成されるようにする。
【００７８】
また上記実施形態では、Ｓ２１０にて、上記３つの条件の何れかが成立している場合に、スキャナ部１５にスキャナ動作を開始させる（Ｓ２２０）ものを示した。しかし、Ｓ２１０において、更に、複合機２における電源投入後の初期処理時である場合に、スキャナ部１５にスキャナ動作を開始させるようにしてもよい。
【００７９】
また上記実施形態では、Ｓ２３０にて、スキャナ部１５が生成したデータを、制御部１１のＲＡＭ内のバッファに格納する。このため、次回、スキャナ転送指令を受信した場合に、このバッファに予め格納しているデータをテレビモニタ６へ送信するようにしてもよい。これにより、スキャナ転送指令を受信した場合にスキャナ部１５を動作させる必要が無いため、スキャナ転送指令を受信してから送信するまでの時間を短縮することができる。
【００８０】
また上記実施形態では、テレビモニタ６が更新通知データを受信すると、スキャナアイコンＩ１を点滅表示させるものを示した。しかし、スキャナアイコンＩ１の色を変化させたり、異なる形状のアイコンを表示させたりするようにしてもよい。
【００８１】
また上記実施形態では、スキャナ仮想ファイルＦ２がイメージ・フォルダ１２ａ内やビデオ・フォルダ１２ｃ内に格納されるものを示した。しかし、図１１に示すように、スキャナ仮想ファイルＦ２が、イメージ・フォルダ１２ａ，オーディオ・フォルダ１２ｂ及びビデオ・フォルダ１２ｃの何れにも含まれず、これらのフォルダと同じ階層で記憶部１２に格納されるようにしてもよい。これにより、図１２に示すように、スキャナアイコンＩ１が、フォト表示領域Ｈ１，オーディオ表示領域Ｈ２及びビデオ表示領域Ｈ３の何れにも含まれない状態で表示される。
【００８２】
また上記実施形態では、複合機２に本発明の画像読取装置としての構成を適用したものを示した。しかし、本発明の画像読取装置としての構成を適用する装置は、画像読取装置としての機能を有していれば複合機２以外の装置であってもよい。
【図面の簡単な説明】
【００８３】
【図１】ネットワークシステム１の電気的構成を示すブロック図。
【図２】第１実施形態における記憶部１２内のフォルダ構成を説明する図。
【図３】第１実施形態におけるファイル選択画面を示す図。
【図４】第１実施形態におけるファイル送信処理手順を表すフローチャート。
【図５】更新通知処理手順を表すフローチャート。
【図６】指令送信処理手順を表すフローチャート。
【図７】再生処理手順を表すフローチャート。
【図８】第２実施形態における記憶部１２内のフォルダ構成を説明する図。
【図９】第２実施形態におけるファイル選択画面を示す図。
【図１０】第２実施形態におけるファイル送信処理手順を表すフローチャート。
【図１１】別の実施形態における記憶部１２内のフォルダ構成を説明する図。
【図１２】別の実施形態におけるファイル選択画面を示す図。
【符号の説明】
【００８４】
１…ネットワークシステム、２…複合機、３…テレビ、５…ＬＡＮ、６…テレビモニタ、７…リモコン、１１…制御部、１２…記憶部、１３…通信部、１４…ユーザＩ／Ｆ、１４ａ…操作キー、１４ｂ…表示パネル、１５…スキャナ部、１６…印刷部、１７…原稿カバーセンサ、２１…制御部、２２…通信部、２３…表示部、２４…音声出力部、２５…リモコン受信部。
【図１】
2007097052.tif 000003
【図２】
2007097052.tif 000004
【図３】
2007097052.tif 000005
【図４】
2007097052.tif 000006
【図５】
2007097052.tif 000007
【図６】
2007097052.tif 000008
【図７】
2007097052.tif 000009
【図８】
2007097052.tif 000010
【図９】
2007097052.tif 000011
【図１０】
2007097052.tif 000012
【図１１】
2007097052.tif 000013
【図１２】
2007097052.tif 000014